(57)【特許請求の範囲】
【請求項１】
ユーザが着座する座手段(2)と、前記座手段の両側に位置して第１横軸(X1)により枢結されると共にユーザの背中の後傾角度に応じて起立姿勢と倒伏姿勢の間で揺動自在な一対の揺動アーム(3,3)と、前記揺動アームを起立姿勢に向けて付勢する弾発手段(4)と、前記揺動アームの自由端部からユーザの背中に臨んで横向きに延設された背受手段(5)とから構成され、座手段に着座したユーザが背中を前記背受手段(5)により押圧支持された状態で上体を起伏運動するフィットネス装置において、
前記背受手段(5)は、ユーザの背中の上下個所を支持するように列設された上下複数列の背枕部材(5a,5b)を相互に補助アーム(12)により連結して成り、
前記補助アーム(12)は、一対の揺動アーム(3)(3)の対向する内側に第２横軸(X2)を介して回動自在に枢結されており、揺動アームを倒伏方向に揺動したとき、該補助アーム(12)の軸方向の軸線(L2)を揺動アーム(3)の軸方向の軸線(L1)に交差させる位置まで回動され、上側の背枕部材(5a)を揺動アームの上側に位置させ、下側の背枕部材(5b)を揺動アームの下側に位置させるように構成して成ることを特徴とするフィットネス装置。
【請求項２】
前記座手段(2)は、前記揺動アームの間に配設された座本体(2a)からユーザの正面側に向けてヒンジ手段(6)を介して延設された延長座(2b)を備えており、
前記延長座(2b)は、前記ヒンジ手段(6)を開閉することにより、座本体(2a)から面一状態で延長された展開姿勢(M1)と、座本体(2a)に向けて反転状態で重ねられた折畳姿勢(M2)を選択可能とするように構成されて成ることを特徴とする請求項１に記載のフィットネス装置。
【発明の詳細な説明】
【技術分野】
【０００１】
本発明は、ユーザが着座状態で上体を起伏するフィットネス運動を支援するフィットネス装置に関する。
【背景技術】
【０００２】
従来、例えば、ユーザが床上に着座した状態で上体を起伏することにより腹筋運動を行う場合、過激な運動を行うと、負荷により腹筋や背筋を傷めるおそれがある。このため、起伏運動を支援するための座椅子形式のフィットネス装置が提供されている。
【０００３】
このようなフィットネス装置は、ユーザが着座する座手段と、前記座手段の両側に位置して横軸により枢結されると共にユーザの背中の後傾角度に応じて起立姿勢と倒伏姿勢の間で揺動自在な一対の揺動アームと、前記揺動アームを起立姿勢に向けて付勢する弾発手段と、前記揺動アームの自由端部からユーザの背中に臨んで横向きに延設された背受手段とから構成されている。
【０００４】
従って、座手段に着座したユーザは、背中を前記背受手段により押圧支持された状態で上体を起伏運動することができる。つまり、上体を起伏運動する際、体重を利用することにより揺動アームを弾発手段に抗して押下しながら上体を倒伏すると共に、弾発手段により上向きに付勢された揺動アームによる背受手段の押上力を借りながら上体を起立することができるので、筋肉の負担が小さく、身体に無理のない運動が可能になる。
【先行技術文献】
【特許文献】
【０００５】
【特許文献１】実用新案登録第３１９８０６３号公報
【発明の概要】
【発明が解決しようとする課題】
【０００６】
（第１の課題）
特許文献１に示されるように、従来のフィットネス装置において、ユーザの背中を押圧支持する背受手段は、左右一対の揺動アームから相互に対向して背中に臨む一対の背枕部材を１直線上に設けている。
【０００７】
前記背枕部材は、ユーザの背中を柔らかく押圧するように弾力性のある円筒状のバッククッションにより形成されている。しかしながら、左右一対の背枕部材は、ユーザの背中に対して、１本の直線状態で集中的に押圧するので、必ずしも心地良いものではなく、特に、起伏運動を長時間又は激しく行うと、ユーザの背中に苦痛を生じるおそれがある。
【０００８】
そこで、本発明者らは、ユーザの背中の上下複数個所を同時に押圧支持させるように、背枕部材を上下に複数列として設ければ、背中に対する押圧力を上下に分散させることが可能であり、上記問題を解決することができることを知見した。
【０００９】
しかしながら、上下複数列の背枕部材を揺動アームに沿って列設状態で固定した構成とする場合は、起伏運動中に、ユーザの背中に対して複数列の背枕部材が良好にフィットせず、押圧力分散の所期目的を達成することができないという新たな問題がある。
【００１０】
そこで、この点の問題を解決することが本発明の第１の課題である。
【００１１】
（第２の課題）
特許文献１に示されるように、従来のフィットネス装置における座手段は、一対の揺動アームの間の限定された領域に配置されている。
【００１２】
ところが、上述のようにユーザが背中を背受手段により押圧支持された状態で上体を起伏運動するためには、ユーザの臀部は、座手段の前側寄り個所、つまり、揺動アームの枢結個所とされた基端部の近くに着座する必要があり、当該着座位置で起伏運動を繰り返し行うと、次第に着座位置がずれ動き、臀部が座手段から脱落するおそれがある。
【００１３】
この点に関して、本発明者らは、座手段を揺動アームの枢結個所とされた基端部の近傍よりも更に前側の領域に向けて延長させれば、着座領域が拡大し、上記問題を解決することができることを知見した。
【００１４】
しかしながら、座手段を前側方向に長く延長させると、不使用時のフィットネス装置を保管する際、座手段に沿って倒伏させた揺動アームの全長を超えて、座手段の延長部分が突出するので、コンパクトに保管できないという新たな問題がある。
【００１５】
しかも、座手段を延長した場合、ユーザが揺動アームの枢結個所とされた基端部よりも前側に離れた位置に臀部を着座した状態で運動を行うことが可能になるが、その場合、揺動アームの揺動支点（枢結軸）と、ユーザの上体の起伏支点（股関節）が相互に離れてしまうので、上述のような複数列に列設した背枕部材が背中にフィットしないという第１の課題に関する問題が顕著となる。
【００１６】
そこで、この点の問題を解決することが本発明の第２の課題である。
【課題を解決するための手段】
【００１７】
本発明は、上記課題を解決したフィットネス装置を提供するものであり、その手段として構成したところは、ユーザが着座する座手段と、前記座手段の両側に位置して第１横軸により枢結されると共にユーザの背中の後傾角度に応じて起立姿勢と倒伏姿勢の間で揺動自在な一対の揺動アームと、前記揺動アームを起立姿勢に向けて付勢する弾発手段と、前記揺動アームの自由端部からユーザの背中に臨んで横向きに延設された背受手段とから構成され、座手段に着座したユーザが背中を前記背受手段により押圧された状態で上体を起伏運動するフィットネス装置において、前記背受手段は、ユーザの背中の上下個所を支持するように列設された上下複数列の背枕部材を相互に補助アームにより連結して成り、前記補助アームは、一対の揺動アームの対向する内側に第２横軸を介して回動自在に枢結されており、揺動アームを倒伏方向に揺動したとき、該補助アームの軸方向の軸線を揺動アームの軸方向の軸線に交差させる位置まで回動され、上側の背枕部材を揺動アームの上側に位置させ、下側の背枕部材を揺動アームの下側に位置させるように構成して成る点にある。
【００１８】
本発明において、前記座手段は、前記揺動アームの間に配設された座本体からユーザの正面側に向けてヒンジ手段を介して延設された延長座を備えており、前記延長座は、前記ヒンジ手段を開閉することにより、座本体から面一状態で延長された展開姿勢と、座本体に向けて反転状態で重ねられた折畳姿勢を選択可能とするように構成されている。
【発明の効果】
【００１９】
本発明のフィットネス装置によれば、ユーザが座手段２に着座した状態で、弾発手段４により付勢された揺動アーム３の背受手段５の押圧支持を背中に受けながら起伏運動を繰返して行っているとき、複数列の背枕部材５ａ、５ｂが常に同時に背中にフィットし、ユーザの背中の上下個所を押圧支持するので、運動中の背中の感触が極めて心地良く、特に、背中に対する押圧力を好適に分散することにより、ユーザに苦痛を感じさせるおそれがない。
【００２０】
ところで、起伏運動の繰返し中に、次第にユーザの臀部の着座位置が前側に向けてずれ動くおそれがあるが、座本体２ａの前側に展開姿勢Ｍ１とされた延長座２ｂが位置しているので、臀部が座手段２から脱落することはない。
【００２１】
特に、ユーザの着座位置がずれ動くと、股関節ＨＪが揺動アーム３の第１横軸Ｘ１から更に前側に離間するので、起伏運動を行うユーザの背中の後傾角度と、揺動させられる揺動アーム３の軸線Ｌ１の後傾角度が顕著に相違することになるが、背受手段５の背枕部材５ａ、５ｂを結ぶ軸線Ｌ２は、揺動アーム３の軸線Ｌ１とは無関係に、第２横軸Ｘ２を介して回動自在であり、補助アーム１２は、揺動アーム３を倒伏方向に揺動したとき、該補助アーム１２の軸方向の軸線Ｌ２を揺動アーム３の軸方向の軸線Ｌ１に交差させる位置まで回動され、上側の背枕部材５ａを揺動アーム３の上側に位置させ、下側の背枕部材５ｂを揺動アーム３の下側に位置させるように構成されているため、常に良好に、複数列の背枕部材５ａ、５ｂをユーザの背中にフィットさせることが可能である。
【００２２】
そして、不使用時のフィットネス装置１を保管する際は、揺動アーム３を座本体２ａに沿う格納姿勢ＰＸとして保持させれば良く、この場合も、背受手段５は、第２横軸Ｘ２を介して回動することにより、補助アーム１２の軸線Ｌ２を揺動アーム３の軸線Ｌ１に沿わせるので、複数列の背枕部材５ａ、５ｂを座本体２ａの表面に沿って好適に格納することができ、更に、延長座２ｂは、ヒンジ手段６を介して展開姿勢Ｍ１から座本体２ａの上に重ねた折畳姿勢Ｍ２とすることができるので、全体として嵩張らずコンパクトな状態で保管することが可能になる。
【図面の簡単な説明】
【００２３】
【図１】本発明の１実施形態に係るフィットネス装置を示す斜視図である。
【図２】揺動アームと背受手段の作用を示す側面図である。
【図３】揺動アームと弾発手段の関係を示す側面図である。
【図４】フィットネス装置の保管時の状態を示す斜視図である。
【図５】使用状態の作用を示しており、揺動アームを後傾起立姿勢としたときのユーザの背中と背受手段の関係を示す側面図である。
【図６】使用状態の作用を示しており、揺動アームを倒伏姿勢に向けて揺動したときのユーザの背中と背受手段の関係を示す側面図である。
【発明を実施するための形態】
【００２４】
以下図面に基づいて本発明の好ましい実施形態を詳述する。
【００２５】
図１ないし図４に示すように、フィットネス装置１は、ユーザが着座する座手段２と、前記座手段２の両側に配置された左右一対の揺動アーム３、３と、前記揺動アーム３、３を起立姿勢に向けて付勢する弾発手段４と、前記揺動アーム３、３の自由端部からユーザの背中に臨んで横向きに延設された背受手段５とから構成されている。尚、ユーザが座手段２に着座した状態で、正面側ないし前側を矢印Ｆで示し、背面側ないし後側を矢印Ｂで示している。
【００２６】
フィットネス装置１は、ユーザの上体（上半身）の起伏運動に限らず、種々の身体運動を行うことが可能なものであるが、少なくとも、起伏運動が目的の１つとされており、ユーザは、座手段２に着座し、後傾姿勢とした背中を前記背受手段５により押圧支持された状態で上体を起伏運動することができる。この際、体重を利用することにより揺動アーム３、３を弾発手段４に抗して押下しながら上体を倒伏すると共に、弾発手段４により上向きに付勢された揺動アーム３、３により、背受手段５の押上力を借りながら上体を起立することができるので、筋肉の負担が小さく、身体に無理のない運動を可能にする。
【００２７】
（座手段）
前記座手段２は、前記揺動アーム３、３の間に配設された座本体２ａと、ユーザの正面側に向けてヒンジ手段６を介して延長された延長座２ｂを備えている。
【００２８】
前記座本体２ａは、平面視をほぼコ字形としたベースフレーム７に囲まれた状態で該ベースフレーム７に固定されている。ベースフレーム７は、座本体２ａの両側縁に沿う左右一対の側部フレーム７ａ、７ａと、座本体２ａの後側縁に沿う後部フレーム７ｂを備えており、該ベースフレーム７を床面に設置した状態で座本体２ａを支持する。
【００２９】
前記座本体２ａ及び延長座２ｂは、それぞれ、ほぼ矩形板状のクッション座体により構成されており、座本体２ａと延長座２ｂを連接させた状態で被覆シートを被せて逢着することにより、座本体２ａと延長座２ｂの上面を相互に連結する被覆シート自体により前記ヒンジ手段６を形成している。尚、ヒンジ手段６は被覆シートと別体に形成しても良い。
【００３０】
これにより、前記延長座２ｂは、ヒンジ手段６を開閉することにより、図１に示すような座本体２ａから座面を面一とした状態で延長される展開姿勢Ｍ１と、図４に示すような座本体２ａに向けて反転状態で重ねられる折畳姿勢Ｍ２を選択可能とするように構成されている。
【００３１】
因みに、折畳姿勢Ｍ２は、フィットネス装置１の不使用保管時のコンパクト化を目的としており、その際、図４に示すように、背受手段５と共に揺動アーム３、３が座本体２ａの両側縁に沿う格納姿勢ＰＸとされる。従って、延長座２ｂは、座本体２ａの上面のうち、ヒンジ手段６と背受手段５の間のスペースに納まる長さ寸法Ｗ１と、揺動アーム３、３の間のスペースに納まる幅寸法Ｗ２を有する大きさに形成することが好ましい。
【００３２】
（揺動アーム）
左右一対の揺動アーム３、３は、それぞれの基端部に固設したブラケット３ａ、３ａを介して側部フレーム７ａ、７ａの前端部に対して第１横軸Ｘ１により揺動自在に枢結されている。図示省略しているが、左右のブラケット３ａ、３ａは、横軸ピンにより軸支されており、左右の横軸ピンが同軸に配置され、これにより第１横軸Ｘ１を構成する。
【００３３】
上述のように、揺動アーム３、３は、弾発手段４により起立姿勢に向けて付勢され、常時は、基端部のブラケット３ａから上端部の自由端部３ｂに向けて後傾姿勢を保持する。このため、図２及び図３に示す実施形態の場合、弾発手段４は、揺動アーム３の内部に挿入された引張コイルスプリング４ａにより構成され、該スプリング４ａの一方の端部を側部フレーム７ａの前端部（図示実施形態の場合、図４に示すような側部フレーム７ａに固設した支持部材８）に連結し、揺動アーム３を後方に倒伏させたとき張力を蓄積するように構成すると共に、他方の端部を揺動アーム３の自由端部３ｂの近傍部に設けた張力調整手段４ｂに連結している。
【００３４】
前記張力調整手段４ｂは、揺動アーム３の長手方向に所定間隔をあけて設けられた複数の調整孔９及び休止孔１０と、これらの孔に選択的に係脱自在に係止させられる出没自在なピン等から成る係止手段１１を設けている。
【００３５】
そこで、図３に示すように、前記係止手段１１を最上位の調整孔９に係止させると、引張コイルスプリング４ａの長さは、揺動アーム３を所定角度の後傾姿勢Ｐ１を保持するように設定される。この状態から、揺動アーム３を倒伏方向に揺動すると、引張コイルスプリング４ａに張力が蓄積され、該張力に抗して揺動アーム３を倒伏方向に揺動することが可能になる。
【００３６】
前記係止手段１１を別の調整孔９に係止させると、引張コイルスプリング４ａの長さは、揺動アーム３を前記後傾姿勢Ｐ１よりも傾斜角度を小さくした後傾姿勢Ｐ２を保持するように設定される。この状態から、揺動アーム３を倒伏方向に揺動すると、引張コイルスプリング４ａに張力が蓄積され、該張力に抗して揺動アーム３を倒伏方向に揺動することが可能になる。
【００３７】
従って、このように調整孔９を選択して係止手段１１を係止させることにより、揺動アーム３は、角度を相違する複数の後傾姿勢Ｐ１、Ｐ２を保持するので、ユーザが起伏運動を行う際に、弾発手段４の付勢力を伴う揺動アーム３の揺動ストロークを選択することが可能であり、ユーザの体力に応じた角度とストロークを選ぶことができる。
【００３８】
そして、前記係止手段１１を最下位の休止孔１０に係止させると、引張コイルスプリング４ａは、揺動アーム３を倒伏させても張力を生じないので、揺動アーム３を座本体２ａに沿う格納姿勢ＰＸとして保持させることが可能である。
【００３９】
尚、前記弾発手段４は、図示実施形態の場合、前記張力調整手段４ｂを備えた引張コイルスプリング４ａにより構成しているが、これに限定されるものではなく、鶴巻バネやその他の手段により構成しても良い。
【００４０】
（背受手段）
前記背受手段５は、一対の揺動アーム３、３の自由端部３ａ、３ａから相互に横向きに対向してユーザの背中に臨む左右の背受手段５Ｌ、５Ｒ（左右を区別しない場合は、単に背受手段５と称する）により構成され、左右の背受手段５Ｌ、５Ｒは、それぞれ、ユーザの背中の上下個所を支持する上下複数列（図例の場合は２列）として平行配置された背枕部材５ａ、５ｂを備えている。各背枕部材５ａ、５ｂは、芯材にスポンジ等の弾力性のある円筒クッションを外挿することにより、ユーザの背中を柔らかく押圧するように構成することが好ましい。
【００４１】
各背受手段５を構成する複数列の背枕部材５ａ、５ｂは、相互に補助アーム１２により連結されており、該補助アーム１２は、一対の揺動アーム３、３の対向する内側に配置され、第２横軸Ｘ２を介して揺動アーム３の自由端部３ｂに回動自在に枢結されている。図示実施形態の場合、一対の揺動アーム３、３の自由端部３ｂ、３ｂに固設した軸受部材１３に左右背受手段５Ｌ、５Ｒの補助アーム１２、１２から突設した横軸ピンを回動自在に挿着することにより、第２横軸Ｘ２を構成しており、第２横軸Ｘ２を挟んで該軸Ｘ２から等距離の位置に上下の背枕部材５ａ、５ｂが配置されている。
【００４２】
従って、図２に示すように、背受手段５を構成する複数列の背枕部材５ａ、５ｂは、揺動アーム３に対して、補助アーム１２と共に第２横軸Ｘ２の廻りに回動自在とされている。その結果、揺動アーム３の軸方向に沿う軸線Ｌ１と、前記補助アーム１２の軸方向に沿う軸線Ｌ２は、両軸線Ｌ１、Ｌ２が成す角度θを変更自在とするように構成され、該角度θの変化は、揺動アーム３を矢印Ｒで示すように倒伏方向に揺動したとき、ユーザの背中に沿って自動的に機能するように構成されており、この際、鎖線で示すように、補助アーム１２がその軸線Ｌ２を揺動アーム３の軸線Ｌ１に交差させるように回動され、上側の背枕部材５ａを揺動アーム３の上側に位置させ、下側の背枕部材５ｂを揺動アーム３の下側に位置させることにより上下の背枕部材５ａ、５ｂをユーザの背中にフィットさせる。
【００４３】
尚、図示実施形態は、左右の揺動アーム３、３に対応して、背受手段５を左右背受手段５Ｌ、５Ｒにより構成し、左右揺動アーム３、３を相互独立して揺動させる構成としたものを示しているが、左右の揺動アーム３、３を相互に連結する複数列の背枕部材５ａ、５ｂを有する一体の背受手段５を設け、左右揺動アーム３、３を同期一体的に揺動させるように構成しても良い。
【００４４】
（作用）
図５及び図６は、フィットネス装置１を使用することにより、ユーザが上体（上半身）の起伏運動を行う際の作用を示している。
【００４５】
運動開始に先立ち、上述のように張力調整手段４ｂを介して、揺動アーム３は、所定角度Ｒ１の後傾姿勢（図３に示すＰ１又はＰ２等）を保持するように設定されている。
【００４６】
延長座２ｂを展開姿勢Ｍ１とした状態で、ユーザＵが座手段２に着座したとき、ユーザの臀部は揺動アーム３の第１横軸Ｘ１の近傍位置に着座されるが、ユーザの股関節ＨＪは、第１横軸Ｘ１よりもやや前側に離間して位置する。
【００４７】
そこで、図５に示すように、ユーザＵが背中を背受手段５にもたれ掛けると、第２横軸Ｘ２を介して背受手段５が回動し、複数列の背枕部材５ａ、５ｂが同時に背中の上下個所に沿わされる。図示の場合、揺動アーム３の軸線Ｌ１と補助アーム１２の軸線Ｌ２が角度θ１で交差し、複数列の背枕部材５ａ、５ｂを背中に対して好適にフィットさせている。
【００４８】
次いで、図６に示すように、ユーザＵが上体を後ろ向きに倒伏させると、背中が背枕部材５ａ、５ｂにより押圧支持された状態で、揺動アーム３は、弾発手段４に抗して倒伏方向に回動させられる。図示のように、揺動アーム３を角度Ｒ２（Ｒ２＜Ｒ１）で示す位置まで揺動させたとき、ユーザＵの背中に沿って背受手段５が第２横軸Ｘ２を介して回動することにより、揺動アーム３の軸線Ｌ１と補助アーム１２の軸線Ｌ２の交差角度を角度θ２（θ２＜θ１）とするように変化させ、これにより、複数列の背枕部材５ａ、５ｂが背中の上下にフィットした状態を維持する。尚、揺動アーム３は、図２に鎖線で示すように、更に倒伏方向に揺動させることができ、その際、補助アーム１２がその軸線Ｌ２を揺動アーム３の軸線Ｌ１に交差させるように回動されることは、上述したとおりである。
【００４９】
このため、ユーザが起伏運動を行っている間、複数列の背枕部材５ａ、５ｂは、常に同時に背中にフィットした状態で、ユーザの背中の上下個所を押圧支持するので、運動中の感触が極めて心地良く、特に、背中に対する押圧力を好適に分散することにより、ユーザに苦痛を感じさせるおそれはない。
【００５０】
ユーザが起伏運動を繰返して行う際、次第に臀部の着座位置が前側に向けてずれ動くおそれがあるが、座本体２ａの前側に展開姿勢Ｍ１とされた延長座２ｂが位置しているので、臀部が座手段２から脱落することはない。
【００５１】
この際、ユーザの着座位置がずれ動くと、股関節ＨＪが揺動アーム３の第１横軸Ｘ１から更に前側に離間するので、起伏運動を行うユーザの背中の後傾角度と、揺動させられる揺動アーム３の軸線Ｌ１の後傾角度が顕著に相違することになるが、背受手段５の背枕部材５ａ、５ｂを結ぶ軸線Ｌ２は、揺動アーム３の軸線Ｌ１とは無関係に、第２横軸Ｘ２を介して回動自在であるため、常に良好に複数列の背枕部材５ａ、５ｂをユーザの背中にフィットさせることができる。
【００５２】
そして、不使用時のフィットネス装置１を保管する際は、図４に示すように、揺動アーム３を座本体２ａに沿う格納姿勢ＰＸとして保持させれば良く、この場合も、背受手段５は、第２横軸Ｘ２を介して回動することにより、補助アーム１２の軸線Ｌ２を揺動アーム３の軸線Ｌ１に沿わせられるので、複数列の背枕部材５ａ、５ｂを座本体２ａに沿って好適に格納することができる。更に、ヒンジ手段６により延長座２ｂを座本体２ａの上に重ねた折畳姿勢Ｍ２とすることができるので、全体として嵩張らずコンパクトな状態で保管することが可能になる。
【符号の説明】
【００５３】
１  フィットネス装置
２  座手段
２ａ  座本体
２ｂ  延長座
３  揺動アーム
３ａ  ブラケット
３ｂ  自由端部
４  弾発手段
４ａ  引張コイルスプリング
４ｂ  張力調整手段
５（５Ｌ，５Ｒ）  背受手段
５ａ、５ｂ  背枕部材
６  ヒンジ手段
７  ベースフレーム
７ａ  側部フレーム
７ｂ  後部フレーム
８  支持部材
９  調整孔
１０  休止孔
１１  係止手段
１２  補助アーム
１３  軸受部材
Ｘ１  第１横軸
Ｘ２  第２横軸
【図１】
0006655961.tif 000002
【図２】
0006655961.tif 000003
【図３】
0006655961.tif 000004
【図４】
0006655961.tif 000005
【図５】
0006655961.tif 000006
【図６】
0006655961.tif 000007